(57)【要約】【課題】リモコン等の入力部に、複数種別の情報媒体に応じた機能毎の専用釦を持つ必要がなく、ユーザが情報媒体の種別や状態によって実現できる機能を認識していなくても、機能を容易に実現できる情報記録再生装置を提供する。【解決手段】情報媒体に情報信号を記録再生する記録再生部１０８と、情報媒体の種別、または状態を判別する媒体判別部１０４と、記録機能または再生機能の種類を管理し、管理する機能から該媒体判別部が判別した結果に応じて実現できる機能を選択する機能管理部１０２と、入力部１０１から入力されたマルチナビ釦を押下されることにより該機能管理部で選択された機能の一覧表示内容を作成する表示制御部１０６と、該表示制御部からの情報を表示する表示部１０７とを備えることにより、情報媒体の応じた機能一覧表示を行い、機能毎に表示釦を選択することで、機能を容易に実現できる。【選択図】図１
2010262732.tif 000002
【特許請求の範囲】
【請求項１】
自装置に挿入された情報媒体の種別及びその情報媒体がプロテクトされているか否かを判別する媒体判別部と、
前記媒体判別部が判別した結果に応じて、機能の一覧表示画面を作成する表示制御部と、を備え、
前記表示制御部が作成する機能の一覧表示画面は、
前記情報媒体の種別に対応した機能を表示する一覧表示画面であり、
前記情報媒体の種別に対応した機能は、前記情報媒体がプロテクトされているか否かに応じて実現できる機能と実現できない機能とが存在し、自装置で実現できる機能と自装置で実現できない機能とが区別して表示されるように作成される、
情報再生装置。
【請求項２】
自装置に挿入された情報媒体の種別を判別する媒体判別部と、
前記媒体判別部が判別した結果に応じて、機能の一覧表示画面を作成する表示制御部と、
を備え、
前記表示制御部が作成する機能の一覧表示画面は、
前記情報媒体の種別に対応した機能を表示する一覧表示画面であり、
自装置に再生位置に関する情報が記憶されていない場合は、再生位置から再生する機能を他の機能とを区別して表示されるように作成される、
情報再生装置。
【発明の詳細な説明】
【技術分野】
【０００１】
本発明は、記録・再生可能媒体、及び再生専用媒体といった複数の種別の情報媒体を記録再生できる情報再生装置に関するものである。
【背景技術】
【０００２】
複数の種別の情報媒体を記録再生するには、情報媒体の種別のすべてに対して記録、または再生する機能を備えることが要請される。従来の情報記録再生装置について図５のブロック図を参照しながら説明する。図５において、媒体判別部５０４は、ドライブ１０５に挿入される情報媒体の有無と種別を判別し、機能管理部５０２に情報媒体の種別情報を送る。ユーザはリモコン等の入力部５０１から記録機能または再生機能に応じた釦を押し、押された機能の要求を機能管理部５０２へ送る。機能管理部５０２は、情報媒体の種別に該当する機能の要求であれば、入力部５０１と媒体判別部５０４からの情報に基づき、機能実現部１０３に機能要求を出す。機能実現部１０３の指令により記録再生部１０８において、ユーザが要求した記録機能または再生機能を実行する。
【０００３】
例えば、ドライブ１０５にＤＶＤ−ＲＡＭディスクが挿入された場合、媒体判別部５０４はＤＶＤ−ＲＡＭメディアであることとＤＶＤ−ＲＡＭディスクの論理内容がＤＶＤビデオレコーディング規格であることから、対応したＤＶＤ−ＲＡＭディスクが挿入されたという媒体種別判断を行う。この媒体種別情報は機能管理部５０２に送られる。ユーザは入力部５０１の「プログラムナビ」釦を押すと、押された機能の要求は機能管理部５０２へ送られる。機能管理部５０２ではＤＶＤ−ＲＡＭディスク機能として、プログラムナビ機能が実現可能か判断する。ＤＶＤ−ＲＡＭディスクではプログラムナビ機能が実現できるので、機能実現部１０３へプログラムナビ機能の要求を出力する。この要求により、機能実現部１０３はＤＶＤ−ＲＡＭディスクのプログラムナビの再生を行い、表示部１０７へプログラムナビ表示要求を出す。
【０００４】
次に、ドライブ１０５にＤＶＤビデオディスクが挿入された場合では、同様に媒体判別部５０４はＤＶＤ−ＲＯＭメディアであることとＤＶＤ−ＲＯＭディスクの論理内容がＤＶＤビデオ規格であることからＤＶＤビデオディスクが挿入されたという媒体種別判断を行う。この媒体種別情報は機能管理部５０２に送られる。上述と同様に、ユーザは入力部５０１の「プログラムナビ」釦を押すと、押された機能の要求は機能管理部５０２へ送られる。機能管理部５０２ではＤＶＤビデオディスク機能として、プログラムナビ機能が実現可能か判断する。ＤＶＤビデオディスクではプログラムナビ機能が実現できないので、機能管理部５０２は機能実現部１０３へ要求を送らない。
【発明の概要】
【発明が解決しようとする課題】
【０００５】
このような複数の種別の情報媒体を記録再生する情報再生装置においては、情報媒体の種別に応じて実現できる機能が異なるため、図５に示すように、リモコン等の入力部５０１に機能に応じた操作釦を配置しなければならない。さらに、上述のようにＤＶＤビデオディスクではプログラムナビ機能が実現できないこと等から、ユーザは情報媒体の種別に応じた機能を認識し、操作釦を使い分ける必要があった。
【０００６】
本発明は、リモコン等の入力部に、複数種別の情報媒体に応じた機能毎の専用釦を持つ必要がなく、ユーザが情報媒体の種別や状態によって実現できる機能を認識していなくても、機能を容易に実現できることを目的としてなされたものである。
【課題を解決するための手段】
【０００７】
この課題を解決するために本発明の情報再生装置は、自装置に挿入された情報媒体の種別及びその情報媒体がプロテクトされているか否かを判別する媒体判別部と、前記媒体判別部が判別した結果に応じて、機能の一覧表示画面を作成する表示制御部と、を備え、
前記表示制御部が作成する機能の一覧表示画面は、前記情報媒体の種別に対応した機能を表示する一覧表示画面であり、前記情報媒体の種別に対応した機能は、前記情報媒体がプロテクトされているか否かに応じて実現できる機能と実現できない機能とが存在し、自装置で実現できる機能と自装置で実現できない機能とが区別して表示されるように作成される。
【０００８】
また、本発明の情報再生装置は、自装置に挿入された情報媒体の種別を判別する媒体判別部と、前記媒体判別部が判別した結果に応じて、機能の一覧表示画面を作成する表示制御部と、を備え、前記表示制御部が作成する機能の一覧表示画面は、前記情報媒体の種別に対応した機能を表示する一覧表示画面であり、自装置に再生位置に関する情報が記憶されていない場合は、再生位置から再生する機能を他の機能とを区別して表示されるように作成される。
【発明の効果】
【０００９】
以上のように本発明によれば、情報再生装置の機能の一覧画面を表示し、ユーザがリモコン等の入力部から画面の表示釦を選択することで機能を実現するため、リモコン等の入力部に機能毎の専用の釦を持つ必要がなく、入力部の釦を削減できる。また、記録再生可能媒体及び再生専用媒体といった情報媒体に応じた機能、またはフォーマットの有無やプロテクトといった情報媒体の状態に応じ
た機能、さらには装置の状態に応じた機能を一覧表示し、実行可能な項目を選択することにより、機能を実現できる。このため、ユーザは情報媒体の種別や状態、あるいはこれらにより実現できる機能を認識していなくても、情報再生装置を容易に使用でき、機能を容易に実現できるという効果が得られる。
【図面の簡単な説明】
【００１０】
【図１】本発明の実施の形態における情報記録再生装置のブロック図
【図２】本発明のドライブに挿入されたディスクがＤＶＤ−ＲＡＭディスクの場合の、表示部の表示例を示す図
【図３】本発明のドライブに挿入されたディスクがプロテクトされたＤＶＤ―ＲＡＭディスクの場合の、表示部の表示例を示す図
【図４】本発明のドライブに挿入されたディスクがビデオＣＤディスクの場合の、表示部の１表示例を示す図
【図５】従来の情報記録再生装置のブロック図
【発明を実施するための形態】
【００１１】
以下、情報媒体としてＤＶＤ−ＲＡＭディスクとビデオＣＤディスクを例にとって本発明を詳細に説明するが、本発明はＣＤ−ＲＷディスクやＤＶＤビデオディスク等の他の記録・再生可能媒体、及び再生専用媒体でも同様に実施される。図１は本発明の実施の形態における情報記録再生装置のブロック図、図２は本発明のドライブに挿入されたディスクがＤＶＤ−ＲＡＭディスクの場合の、表示部の表示例、図３は本発明のドライブに挿入されたディスクがプロテクトされたＤＶＤ―ＲＡＭディスクの場合の、表示部の表示例、図４は、本発明のドライブに挿入されたディスクがビデオＣＤディスクの場合の、表示部の１表示例である。以下に、本発明の実施の形態について、図１、図２、図３、及び図４を用いて説明する。
【００１２】
図１において、媒体判別部１０４はドライブ１０５に挿入された情報媒体の種別、または状態を判別する。媒体判別部１０４は、例えば、ディスクの厚み差を利用したフォーカスの引き込みからディスク厚みが１．２ｍｍのＣＤと０．６ｍｍのＤＶＤのように基板の厚みの相違を、トラッキングのエラー信号から書き換え型媒体か、追記型媒体か、記録再生媒体かのように情報層の相違を判別する。情報媒体の種別情報は機能管理部１０２へ送られる。
【００１３】
機能管理部１０２は、図１に示すように、情報媒体の種別に応じた機能を示す各ディスク機能と共に、情報媒体の種別に関わらず実現できる機能を示す装置機能も管理する。媒体の種別に関わらず実現できる機能とは、時刻、チャンネル、画面表示、音質等の設定に関わる初期設定機能等をいう。次に、ユーザはリモコン等の入力部１０１から機能一覧表示（以下、マルチナビと略称）釦を押下することにより、押下された機能一覧要求を機能管理部１０２へ送る。機能管理部１０２は、媒体判別部１０４からの情報に基づき、機能管理部１０２が備えている各機能の一覧情報から媒体の種別に応じたマルチナビ画面の要求を表示制御部１０６へ出力する。
【００１４】
例えば、ＤＶＤ−ＲＡＭディスクがドライブ１０５に挿入された場合、媒体判別部１０４はＤＶＤ―ＲＡＭメディアであることとＤＶＤ−ＲＡＭディスクの論理内容がＤＶＤビデオレコーディング規格であることから、対応するＤＶＤ−ＲＡＭディスクが挿入されたという媒体種別判断を行う。この媒体種別情報は機能管理部１０２に送られる。機能管理部１０２は、ＤＶＤ−ＲＡＭディスクに対応した機能の表示を表示するように、表示制御部１０６へ指令を出す。表示制御部１０６は、表示部１０７へアイコン表示や文字データ等のＧＵＩ表示内容を送る。表示部１０７では、図２に示す一覧画面が映像信号に重畳されて出力される。
【００１５】
図２の２０１〜２０８は、ＤＶＤ−ＲＡＭディスクで実現できる機能等が表示された表示釦となっている。例えば、図２の２０１に示す「ディスク管理」とは、ディスクのプロテクト設定やディスクのフォーマットができる機能である。また、図２の２０４に示す「プログラムナビ」とは、ディスクに記録された番組を一覧表示し、番組単位でのプロテクトや消去ができる機能であり、２０８に示す「プレイリスト」とは、ディスクに記録された番組から必要なシーンの編集や再
生ができる機能である。ユーザはリモコン等の入力部１０１から各表示釦を選択することにより、該当する機能を実現する。例えば、ユーザは図２の２０４に示す「プログラムナビ」の表示釦を入力部１０１によって選択すれば、その選択信号が機能管理部１０２に入力され、機能管理部１０２は機能実現部１０３に「プログラムナビ」の機能要求を出す。機能実現部１０３は記録再生部１０８において、ＤＶＤ−ＲＡＭディスクのプログラムナビの再生を行い、表示部１０７へプログラムナビ表示の要求を行う。
【００１６】
また、本実施の形態の媒体判別部１０４は、情報媒体の種別だけでなく、フォーマットの有無やプロテクトといった情報媒体の状態も判別する。表示制御部１０６はこれらの判別情報に応じて機能が有効であるか無効であるかを区別したマルチナビ画面を作成し、表示部１０７に表示を行う。すなわち、表示部１０７は、情報媒体の状態に応じて実現できる機能と、情報媒体の状態に応じて実現できない機能を区別して表示する。
【００１７】
プロテクトされたＤＶＤ−ＲＡＭディスクがドライブ１０５に挿入された場合を例に説明する。プロテクトがかかったＤＶＤ−ＲＡＭディスクがドライブ１０５に挿入された場合に、媒体判別部１０４は、ＤＶＤ−ＲＡＭメディアであること、ＤＶＤ−ＲＡＭディスクの論理内容がＤＶＤビデオレコーディング規格であること、プロテクトがかかっていることからプロテクトがかかったＤＶＤ−ＲＡＭディスクが挿入されたという媒体種別判断を行い、この媒体種別情報を機能管理部１０２へ送る。機能管理部１０２は、プロテクトがかかったＤＶＤ−ＲＡＭディスクで実現できない機能である「プレイリスト新規作成」と、プロテクトがかかったＤＶＤ−ＲＡＭディスクでも実現できる機能である、「初期設定」、「続き再生」等を区別して表示するように、表示制御部１０６へ指令を出す。表示制御部１０６は、表示部１０７へアイコン表示や文字データ等のＧＵＩ表示内容を送る。表示部１０７では、例えば図３のような一覧画面が映像信号に重畳されて出力される。すなわち、ＤＶＤ−ＲＡＭディスクがプロテクトされているために実現できない「プレイリスト新規作成」機能を示す表示釦２０７は、プロテク
トがかかっているＤＶＤ−ＲＡＭディスクでも実現できる機能を示す表示釦２０１〜２０６、及び２０８と区別されて表示部１０７に表示される。
【００１８】
さらに、本発明の情報記録再生装置は、装置の状態によって実現できる機能と、実現できない機能を区別して表示部に表示する。例えば、ビデオＣＤディスクがドライブ１０５に挿入された場合に、図４に示すような表示が表示部１０７に表示される。図４の４０３に示す続き再生機能を行うには、一度再生を行った後に再生位置を記憶しておく必要がある。したがって、再生位置の記憶がされていない場合には、機能管理部１０２は、装置の状態によって実現できない機能である続き再生を、他の実現できる機能と区別して表示するように、表示制御部１０６へ指令を出す。表示制御部１０６は、表示部１０７へアイコン表示や文字データ等のＧＵＩ表示内容を送る。図４に示すように、情報記録再生装置に再生位置の記憶がされていないことにより実現できない続き再生機能を示す表示釦４０３は、他の表示釦４０１、４０２と４０４〜４０６と区別して表示部１０７に表示される。
【００１９】
なお、本発明の表示部１０７に表示される、機能の一覧画面は、図２や図３に示すような情報媒体に応じた機能の一覧画面だけに限定されるものではない。例えば、本発明が備えるすべての機能を一覧表示し、その中から、ドライブ１０５に挿入された情報媒体に応じて実現可能な機能や、フォーマットの有無やプロテクトといった情報媒体の状態に応じて実現可能な機能や、装置の状態に応じて実現可能な機能を、その他の機能と区別して表示するような画面でも良い。
【符号の説明】
【００２０】
１０１    入力部
１０２    機能管理部
１０３    機能実現部
１０４    媒体判別部
１０５    ドライブ
１０６    表示制御部
１０７    表示部
１０８    記録再生部
【図１】
2010262732.tif 000003
【図２】
2010262732.tif 000004
【図３】
2010262732.tif 000005
【図４】
2010262732.tif 000006
【図５】
2010262732.tif 000007